(57)【特許請求の範囲】
【請求項１】
ダンパ板を構成する一辺の両端にそれぞれ同一の中心軸を有するように配置された円柱状形状の一対の上部ツメと、前記上部ツメの前記中心軸を中心とした円弧形状を形成する内側凹部を備えた下部ツメとを有する回動部材を有し、前記上部ツメを支持する一対の凹部と、前記凹部を形成する底面と略垂直に配置される一対の壁面と、前記下部ツメを引っ掛けるリブ部とを有する固定側部材を有し、前記下部ツメの先端に形成され、かつ前記回動部材を前記固定側部材に取り付けるときに前記リブ部と接する傾斜面部を有することを特徴とする回転軸構造。
【請求項２】
請求項１に記載の回転軸構造において、前記下部ツメの前記円弧形状は、前記上部ツメの前記中心軸の半径方向に所定の距離をなす形で配置し、前記固定側部材の凹部は、前記中心軸の半径方向に対して、前記下部ツメの前記円弧形状より内側に配置することを特徴とする回転軸構造。
【請求項３】
ダンパ板を構成する一辺の両端にそれぞれ同一の中心軸を有するように配置された円柱状形状の一対の上部ツメと、前記上部ツメの前記中心軸を中心とした円弧形状を形成する内側凹部を備えた下部ツメとを有する回動部材を有し、前記上部ツメを支持する一対の凹部と、前記凹部を形成する底面と略垂直に配置される一対の壁面と、前記下部ツメを引っ掛けるリブ部とを有する固定側部材を有し、前記下部ツメの先端に形成され、かつ前記回動部材を前記固定側部材に取り付けるときに前記リブ部と接する傾斜面部を有する回転軸構造を備えたことを特徴とする空調換気装置。
【発明の詳細な説明】
【０００１】
【発明の属する技術分野】
本発明は、回転軸構造及び空調換気装置に係り、シャッターやダンパなどの回転動作を実現する回転軸構造及びこの回転軸構造を備えた空調換気装置に関するものである。
【０００２】
【従来の技術】
図９、１０は例えば特開平９−１３７９８７号公報に示された従来の回転動作機構を用いたシャッタ装置を示す図であり、図９は従来のシャッタ装置を示す断面図、図１０はその従来のシャッタ装置におけるシャッタ板を示す斜視図である。図９、１０において、１０３は例えば天井埋め込み型の換気扇と排気ダクトの間などに接続される接続筒体（通風口）であり、１０４は接続筒体１０３に突設される一対の軸部である。軸部１０４は、中心からやや上方に偏った位置に水平状態となるように一体に形成される。
【０００３】
１０５はシャッタ板であり、１０６はシャッタ板１０５に突設される一対の軸受け部である。軸受け部１０６は、中心からやや上方に偏った位置に形成され、接続筒体１０３に突設された軸部１０４に引っ掛けられる。１０７はシャッタ板１０５に溝を形成することによって一体に形成された一対の舌片であり、先端には傾斜形状の突起１０８が施されている。
【０００４】
次に、この従来のシャッタ装置における動作及び作用について説明する。この従来のシャッタ装置によれば、軸受け部１０６を接続筒体１０３に突設された軸部１０４に挿入する作業を行うことにより、シャッタ板１０５が軸部１０４に支持される。これにより、シャッタ板１０５は、軸部１０４を回転軸とした回転動作を実現することができる。
【０００５】
また、舌片１０７をシャッタ板１０５と切欠き溝によって分離することで、シャッタ板１０５を変形させることなく、シャッタ板１０５は、舌片１０７のみの弾性変形により軸受け部１０６と突起１０８とで形成されるクリアランスが軸部１０４の軸径より小さくても組み立てることができる。しかも、シャッタ板１０５の組立後、舌片１０７は、弾性変形で元の形状に復帰する。このため、シャッタ板１０５は、容易に外れないストッパとしての機能を果たすことができる。
【０００６】
また、他の従来のシャッタ装置として、図１１、１２は例えば実開平２−１２４４３５号公報に示された従来の回転動作機構を用いたシャッタ装置を示す図であり、図１１はその従来のシャッタ装置を示す斜視図、図１２はその従来のシャッタ装置におけるシャッタ板の組み立て状態を示す斜視図である。図１１、１２において、２０３はシャッタ板であり、２０４はシャッタ板２０３に延設される一対の軸部である。
【０００７】
２０５は一対の軸部２０４の先端に形成される係止突部であり、係止突部２０５は、幅方向の寸法が軸部２０４よりも大きく、突起形状となっている。また、２０６は本体枠であり、２０７は係止突部２０５の側壁面に設けられた軸支孔である。シャッタ板２０３に延設された軸部２０４は、軸支孔２０７で係止される。
【０００８】
次に、この従来のシャッタ装置における動作及び作用について説明する。この従来のシャッタ装置によれば、回転の中心となる軸部２０４を一体で形成し、シャッタ板２０３の弾性変形を利用して軸支孔２０７に軸部２０４を係止させることにより、シャッタ板２０３を容易に組み立ることができる。しかも、シャッタ板２０３は、軸部２０４の先端に係止突部２０５を形成することにより、容易に外れないストッパとしての機能を果たすことができる。
【０００９】
【発明が解決しようとする課題】
上記したような従来のシャッタ装置に用いられる回転軸構造では、回動させるための軸または穴部を必要とするため、軸部を形成するためには必然的に周囲には空間が必要となり、穴を形成する場合にはそれによる風漏れを抑制するための形状・構造が必要となる。
【００１０】
そのため、通風口内部において回転の中心となる軸または穴部を設ける場合には空間的制約が生じ、構造が複雑になり易い上、シャッタ板を組み立てる際に回転の中心となる軸あるいは穴にシャッタ板を合わせなければならないという作業上の手間を生じる。また、組立時に弾性変形を利用するため、ストッパ部分やシャッタ板が破損する恐れがある。
【００１１】
そこで、本発明は、上記のような課題を解消するためになされたもので、通風路を切替えるシャッタやダンパ装置等において、シャッタ板あるいはダンパ板を大きく湾曲させることなく、容易に固定側部材に取り付けられ、かつ容易に外れない抜け止めを具備し、また回転動作の中心となる軸・穴を設けることなく単純な構造で気密性の高い回転軸構造及び空調換気装置を得ることを目的とする。
【００１２】
【課題を解決するための手段】
本発明による回転軸構造は、ダンパ板を構成する一辺の両端にそれぞれ同一の中心軸を有するように配置された円柱状形状の一対の上部ツメと、前記上部ツメの前記中心軸を中心とした円弧形状を形成する内側凹部を備えた下部ツメとを有する回動部材を有し、前記上部ツメを支持する一対の凹部と、前記凹部を形成する底面と略垂直に配置される一対の壁面と、前記下部ツメを引っ掛けるリブ部とを有する固定側部材を有し、前記下部ツメの先端に形成され、かつ前記回動部材を前記固定側部材に取り付けるときに前記リブ部と接する傾斜面部を有するものである。
【００１３】
本発明による回転軸構造において、前記下部ツメの前記円弧形状は、前記上部ツメの前記中心軸の半径方向に所定の距離をなす形で配置し、前記固定側部材の凹部は、前記中心軸の半径方向に対して、前記下部ツメの前記円弧形状より内側に配置するものである。
【００１４】
本発明による空調換気装置は、ダンパ板を構成する一辺の両端にそれぞれ同一の中心軸を有するように配置された円柱状形状の一対の上部ツメと、前記上部ツメの前記中心軸を中心とした円弧形状を形成する内側凹部を備えた下部ツメとを有する回動部材を有し、前記上部ツメを支持する一対の凹部と、前記凹部を形成する底面と略垂直に配置される一対の壁面と、前記下部ツメを引っ掛けるリブ部とを有する固定側部材を有し、前記下部ツメの先端に形成され、かつ前記回動部材を前記固定側部材に取り付けるときに前記リブ部と接する傾斜面部を有する回転軸構造を備えたものである。
【００１５】
【発明の実施の形態】
以下に、本発明における実施の形態を、図面を参照して説明する。
実施の形態１．
図１〜図５は実施の形態１によるダンパ装置の実施例を示すものであり、図１は実施の形態１による回転軸構造を示す断面図、図２は実施の形態１によるダンパ板を固定側部品に取付ける際の回転軸構造を示す拡大断面図である。図３は実施の形態１によるダンパ板を固定側部品から取り外す際の回転軸構造を示す拡大断面図、図４は実施の形態１によるダンパ部材を示す斜視図、図５は実施の形態１による固定側部品を示す斜視図である。
【００１６】
図示例は、空調換気装置に適用する態様の場合を示している。なお、図２は下部ツメを略Ｌ字形状リブに取りつける際の、上部ツメ周囲を拡大して示している。図３は下部ツメを略Ｌ字形状リブから取り外そうとする時の、上部ツメ周囲を拡大して示している。図１〜５において、１はダンパ板であり、２は端面にダンパ板１と一体に形成される一対の上部ツメである。
【００１７】
この一対の上部ツメ２は、端面にそれぞれ同一の中心軸を有するように両端に配置され、かつ円柱形状で構成されている。３はこのダンパ板１の裏面にダンパ板１と一体に形成される一対の下部ツメである。この下部ツメ３は、ダンパ板１と一体に形成され、内側凹部の形状が上部ツメ２と中心軸を共用する円弧形状になっている。１１は下部ツメ３を延設することにより形成されるシャフト部である。
【００１８】
ここで、回動部材は、上部ツメ２と下部ツメ３とから構成される。ダンパ部材は、ダンパ板１、上部ツメ２、下部ツメ３及びシャフト部１１を含む構成部材から構成される。４はこのダンパ部材を支持するための固定側部品であり、５は固定側部品４の端部に形成された上部ツメ２を支持し、かつ下部ツメ３と干渉しない位置に形成された一対の凹部である。６は凹部５を形成する面と略垂直に、かつ上部ツメ２より外側に配置されることにより、回動部材の回転軸方向の移動を抑制する一対の壁面である。
【００１９】
７は下部ツメ３を引っ掛けるための略Ｌ字形状リブである。固定側部品４は、凹部５、壁面６及び略Ｌ字形状リブ７を含む構成部材から構成される。８は下部ツメ３の先端に形成され、ダンパ板１を固定側部品４に取り付ける時に、略Ｌ字形状リブ７と接する下部ツメ３の傾斜面部である。９は略Ｌ字形状リブ７の先端に形成された略Ｌ字形状リブ７の垂直面部であり、１０は略Ｌ字形状リブ７の底面に形成された略Ｌ字形状リブ７の水平面部である。
【００２０】
図６は実施の形態１による空調換気装置の第１の運転状態を示す断面図である。ここでの空調換気装置１２の運転状態は、同時給排を実現する運転状態を示している。第１の給気通風路１３内に設けられた送風ファン１４は、モータ（図示せず）によって回転することにより、室外吸込口１５から空気を吸込む。この室外吸込口１５から吸込まれた空気は、送風ファン１４により、フィルタ２９を通って、次に熱交換器１６を通り、その後、第２の給気通風路１７に入って、室内吹出口１８から吹出される。
【００２１】
これと同時に、第１の排気通風路１９内に設けられた送風ファン２０は、モータ（図示せず）によって回転することにより、室内吸込口２１から空気を吸込む。この室内吸込口２１から吸込まれた空気は、送風ファン２０により、熱交換器１６を通って、次に第２の排気通風路２２に入り、その後、室外吹出口２３から吹出される。これによって、室内外の空気の換気が行われる。この時、熱交換器１６内で室内から排気する空気と室外から給気する空気との間の熱交換が行われる。
【００２２】
次に、図７は実施の形態１による空調換気装置の第２の運転状態を示す斜視図である。
ここでの空調換気装置１２の運転状態は、循環および排気を同時に実現する運転状態を示している。室内の空気は、室外へ排気される経路と室内へ戻ってくる経路（室内循環）の２経路が形成される。
【００２３】
即ち、室内空気が室内吸込口２１から吸込まれて第１の排気通風路１９を通り、第１の給気通風路１３を経由して第２の排気通風路２２に入り、その後、室外吸込口１５または室外吹出口２３から室外へ排気される経路がある。それからこの経路と、室内空気が第２の室内吸込口３０から吸込まれて第１の給気通風路１３を通って第２の排気通風路２２に入り、その後、室外吸込口１５または室外吹出口２３から室外へ排気される経路がある。
【００２４】
一方、室内空気が室内吸込口２１から吸込まれて第１の排気通風路１９を通り、次に第１の給気通風路１３を経由してフィルタ２９を通り、その後、熱交換器１６を通って第２の給気通風路１７に入り、室内吹出口１８へ給気される経路がある。それからこの経路と、室内空気が第２の室内吸込口３０から吸込まれて第１の給気通風路１３を経由してフィルタ２９を通り、次に、熱交換器１６を通って第２の給気通風路１７に入り、その後、室内吹出口１８へ給気される経路がある。
【００２５】
そして、この空調換気装置１２は、左右方向にスライド自在で、かつそれぞれの境界で固定可能なスライドダンパ２４を有し、壁面に設けられたレール上を室外吸込口１５と室外吹出口２３との境界と、室外吸込口１５と第１の給気通風路１３との境界を形成する第１の通風路切換部２５を有している。
【００２６】
この空調換気装置１２は、第１の通風路切換部２５にスライド方向に延設することにより第１の給気通風路１３と第２の排気通風路２２を仕切る隔壁を形成する第１の通風路開閉部２６を有し、第１の通風路開閉部２６の端部近傍に形成された円柱状リブ２７を有している。そして、空調換気装置１２は、第１の運転状態において、遮蔽状態でスライド移動することにより、室内吸込口としての通風口が形成される第２の通風口開閉部２８を有している。
【００２７】
この空調換気装置１２においては、第１の通風路切換部２５、第１の通風路開閉部２６、円柱状リブ２７及び第２の通風口開閉部２８が一体に形成されている。ダンパ板１は、第１の給気通風路１３と第１の排気通風路１９を仕切る隔壁として機能している。シャフト部１１は、円柱状リブ２７に引掛ける配置となっている。
【００２８】
次に、実施の形態１による作用及び効果を説明する。以上のように、本実施の形態では、ダンパ板１を固定側部品４に取り付ける際、上部ツメ２を凹部５に合わせるように配置し、下部ツメ３を略Ｌ字形状リブ７に引掛けるように構成している。これにより、凹部５によって上部ツメ２における下方及び左右方向の位置を抑制することができるとともに、下部ツメ３によって上方空間へ外れることを防止することができる。
【００２９】
また、本実施の形態は、固定側部品４の壁面６を上部ツメ２より外側に配置して構成したため、回動軸方向の移動を抑制することができる。下部ツメ３の内側凹形状を上部ツメ２と同じ中心軸を持つようの構成したため、下部ツメ３と略Ｌ字形状リブ７とのクリアランスを一定にして、上部ツメ２を中心軸として円滑に回転動作を実現することができる。
【００３０】
また、本実施の形態は、下部ツメ３の傾斜面部８と略Ｌ字形状リブ７の垂直面９との間に角度を設けるように、下部ツメ３あるいは略Ｌ字形状リブ７を形成して構成することにより、ダンパ板１の弾性変形を利用して嵌め込みを許容することができる。また、下部ツメ３の内側凹部と略Ｌ字形状リブ７の水平面を対向して構成することにより、ダンパ板１の下部ツメ３を押し広げるような力が発生しないため、弾性変形を生じず、抜け止めとしての機能を実現することができる。
【００３１】
したがって、ダンパ板１の端部を固定側部品４の凹部５に位置付け、ダンパ板１の弾性変形によりダンパ板１を容易に組み立てられるため、ダンパ板１を軸部や穴に合わせる手間が発生せず、より一層作業が容易とすることができる上、下部ツメ３と略Ｌ字形状リブ７の接触を面当たりとなることにより、弾性変形が生じず容易に外れない抜け止めの効果を実現することができる。
【００３２】
また、本実施の形態は、回転中心となる軸や穴、及びストッパを形成するための切欠き溝を設けることなく、下部ツメ３の内側を上部ツメ２と同一の中心軸を持つ円弧形状となるように構成することにより、上部ツメ２に回転軸としての機能を持たせることができるため、ダンパ部での風漏れや通風路空間を狭めるといった不具合を発生させることなく、省スペースかつ単純構造で気密性の高い円滑な回転動作を実現することができる。
【００３３】
本実施の形態においては、スライドダンパ２４のスライド移動に伴って、円柱形状リブ２７がシャフト部１１に作用することにより、ダンパ板１が上部ツメ２を中心として略水平位置からある角度位置まで回動する。また、スライドダンパ２４は、モータ（図示せず）を駆動源としている。
【００３４】
使用者がリモコンなどで切換えると、モータの回転力により、第１の通風路切換部２５は、室外吸込口１５と第１の給気通風路１３とが隔離されるまで、また逆に室外吸込口１５と室外吹出口１８が分離されるまでスライドすることで、第１の運転状態と第２の運転状態を実現する通風路に切替える。
【００３５】
また、本実施の形態は、１台の空調換気装置１２で、通常は、給気を行ないながら熱交換器１６を通して室内の冷暖房エネルギーロスの少ない熱交換換気を常時、少風量で換気し、一旦、急激に室内空気が汚れた場合は、排気量を増やすと同時にフィルタ２９を介して室内循環して、比較的短時間で室内空気の汚染を軽減することができる。
【００３６】
また、第２の運転状態である室内循環・排気の場合は、熱交換器１６を通さずに排気できるので、熱交換器１６での圧力損失を低くすることができる。さらに、室内循環・排気時には、室外吸込口４も排気用の室外吹出口１５と同等の作用をするので、排気口での圧力損失も低くすることができ、効率的に排気することができる。
【００３７】
実施の形態２．
上記実施の形態１では、固定側部品４の壁面６によってダンパ板１の軸方向の移動を抑制する場合について説明したが、本実施の形態は、図８に示すように、下部ツメ３と凹部５をダンパ板１の回動を阻害しない程度のクリアランスで配置するように構成してもよい。これによっても、上記実施の形態１と同様の効果を奏することができる。
【００３８】
【発明の効果】
本発明による回転軸構造によれば、凹部によって上部ツメにおける下方及び左右方向の位置を抑制することができるとともに、下部ツメによって上方空間へ外れることを防止することができる。また、下部ツメとリブ部とのクリアランスを一定にして、上部ツメを中心軸として円滑に回転動作を実現することができる。さらに、ダンパ板の弾性変形を利用して嵌め込みを許容することができる。
【００３９】
また、回転軸構造においては、固定側部材に回転軸方向の移動を抑制するための壁面を設けることができない場合においても、下部ツメと凹部の配置を考慮することにより、移動抑制の機能を兼ねる効果を奏する。
【００４０】
本発明による空調換気装置によれば、凹部によって上部ツメにおける下方及び左右方向の位置を抑制することができるとともに、下部ツメによって上方空間へ外れることを防止することができる。また、下部ツメとリブ部とのクリアランスを一定にして、上部ツメを中心軸として円滑に回転動作を実現することができる。さらに、ダンパ板の弾性変形を利用して嵌め込みを許容することができる。
【図面の簡単な説明】
【図１】  実施の形態１による回転軸構造を示す断面図である。
【図２】  実施の形態１によるダンパ板を固定側部品に取付ける際の回転軸構造を示す拡大断面図である。
【図３】  実施の形態１によるダンパ板を固定側部品から取り外す際の回転軸構造を示す拡大断面図である。
【図４】  実施の形態１によるダンパ部材を示す斜視図である。
【図５】  実施の形態１による固定側部品を示す斜視図である。
【図６】  実施の形態１による空調換気装置の第一の運転状態を示す断面図である。
【図７】  実施の形態１による空調換気装置の第二の運転状態を示す斜視図である。
【図８】  実施の形態２による回転軸構造を示す斜視図である。
【図９】  従来のシャッタ装置を示す断面図である。
【図１０】  従来のシャッタ装置におけるシャッタ板を示す斜視図である。
【図１１】  従来のシャッタ装置を示す斜視図である。
【図１２】  従来のシャッタ装置のシャッタ板の組み立てを示す斜視図である。
【符号の説明】
１  ダンパ板、２  上部ツメ、３  下部ツメ、４  固定側部品、５  凹部、６  壁面、７  Ｌ字形状リブ、８  傾斜面部、９  垂直面部、１０  水平面部、１１  シャフト部、１２  空調換気装置、１３  第１の給気通風路、１４  送風ファン、１５  室外吸込口、１６  熱交換器、１７  第２の給気通風路、１８  室内吹出口、１９  第一の排気通風路、２０  送風ファン、２１  室内吸込口、２２  第２の排気通風路、２３  室外吹出口、２４  スライドダンパ、２５  第１の通風路切換部、２６  第１の通風路開閉部、２７  円柱状リブ、２８  第２の通風口開閉部、２９  フィルタ、３０  第２の室内吸込口。
【図１】
0003861706.tif 000002
【図２】
0003861706.tif 000003
【図３】
0003861706.tif 000004
【図４】
0003861706.tif 000005
【図５】
0003861706.tif 000006
【図６】
0003861706.tif 000007
【図７】
0003861706.tif 000008
【図８】
0003861706.tif 000009
【図９】
0003861706.tif 000010
【図１０】
0003861706.tif 000011
【図１１】
0003861706.tif 000012
【図１２】
0003861706.tif 000013